(57)【要約】工場環境の外部で、光および／または光に関連する特性などを測定する高精度機器を用いずにマルチカラー・ディスプレイのカラー・バランス調整を行う技術。一実施形態では、モジュレーション中のいずれかの時点で２つの色がディスプレイ上でほぼ同じに見えるように、選択した２色をモジュレーションすることができる。次いで適用するモジュレーションを調整して、それらの色がほぼ同じに見える点を変えることができる。次いで、少なくとも部分的にモジュレーションの調整測定値に基づいて、ディスプレイのカラー・バランスを修正することができる。
2004506943.tif 000002
【特許請求の範囲】
【請求項１】
マルチカラーの発光ディスプレイのカラー・バランスを調整する方法であって、
モジュレーション中のいずれかの時点で２つの色がディスプレイ上でほぼ同じに見えるように、選択した２色をモジュレーションすることと、
モジュレーションを調整して、それらの色がほぼ同じに見える時点を変更することと、
少なくとも部分的にモジュレーション調整の測定値に基づいてディスプレイのカラー・バランスを修正することと
を含む方法。
【請求項２】
選択した２色をモジュレーションすることが、選択した２色の輝度および／または色度をモジュレーションすることを含む請求項１に記載の方法。
【請求項３】
選択した２色の輝度および／または色度をモジュレーションすることが、輝度をモジュレーションすることを含む請求項２に記載の方法。
【請求項４】
選択した２色をモジュレーションすることが、選択した２色を周期的にモジュレーションすることを含む請求項１に記載の方法。
【請求項５】
マルチカラー発光ディスプレイのカラー・バランスを調整する方法であって、
ディスプレイの色空間にある色の輝度および／または色度をモジュレーションすることと、
基準色空間にある色の輝度および／または色度をモジュレーションし、一定時間にわたって２色に適用するモジュレーションが相互のミラー・イメージであることと、
２色のモジュレーション中の選択された時点でそれらの色がほぼ同じに見えるようにモジュレーションを調整することと、
少なくとも部分的にモジュレーション調整の測定値に基づいてディスプレイのカラー・バランスを修正することと
を含む方法。
【請求項６】
基準色空間が、人間の視覚の色域をほぼ包含する色空間からなる請求項５に記載の方法。
【請求項７】
基準色空間が、１９７６ＣＩＥ色空間の色を入れ替えたバージョンからなる請求項６に記載の方法。
【請求項８】
２色の輝度および／または色度をモジュレーションすることが、輝度をモジュレーションすることを含む請求項５に記載の方法。
【請求項９】
２色の輝度をモジュレーションすることが、輝度を周期的にモジュレーションすることを含む請求項８に記載の方法。
【請求項１０】
２色の輝度を周期的にモジュレーションすることが、輝度を正弦波でモジュレーションすることを含む請求項９に記載の方法。
【請求項１１】
２色のモジュレーション中の選択された時点でそれらの色がほぼ同じに見えるようにモジュレーションを調整することが、モジュレーションの中間点で２色がほぼ同じに見えるようにモジュレーションを調整することを含む請求項１０に記載の方法。
【請求項１２】
基準色空間が、人間の視覚の色域をほぼ包含する色空間からなる請求項１１に記載の方法。
【請求項１３】
拡大した色空間から２色を選択する請求項１２に記載の方法。
【請求項１４】
２色のモジュレーション中の選択された時点でそれらの色がほぼ同じに見えるようにモジュレーションを調整することが、２色がモジュレーションの中間点でほぼ同じに見えるようにモジュレーションを調整することを含む請求項５に記載の方法。
【請求項１５】
拡大した色空間から２色を選択する請求項５に記載の方法。
【請求項１６】
マルチカラー・ディスプレイが、マルチカラー・ポリマー発光ディスプレイからなる請求項５に記載の方法。
【請求項１７】
マルチカラー・ポリマー発光ディスプレイが、５色のポリマー発光ディスプレイからなる請求項１６に記載の方法。
【請求項１８】
マルチカラー・ディスプレイと、
ディスプレイに結合されたコンピューティング・プラットフォームであって、
マルチカラー・ディスプレイの色空間にある色の輝度および／または色度をモジュレーションすることと、
基準色空間にある色の輝度および／または色度をモジュレーションし、一定時間にわたって２色に適用するモジュレーションが相互のミラー・イメージであることと、
２色のモジュレーション中の選択された時点でそれらの色がほぼ同じに見えるようにモジュレーションを調整することと、
少なくとも部分的にモジュレーション調整の測定値に基づいてマルチカラー・ディスプレイのカラー・バランスを修正することと
によってマルチカラー・ディスプレイのカラー・バランスを調整することができる動作中のコンピューティング・プラットフォームと
を含むシステム。
【請求項１９】
基準色空間が、人間の視覚の色域をほぼ包含する色空間からなる請求項１８に記載のシステム。
【請求項２０】
システムのオペレーション中に、拡大した色空間から２色を選択する請求項１８に記載のシステム。
【請求項２１】
マルチカラー・ディスプレイが、マルチカラー・ポリマー発光ディスプレイからなる請求項１８に記載のシステム。
【請求項２２】
マルチカラー・ポリマー発光ディスプレイが５色のポリマー発光ディスプレイからなる請求項２１に記載のシステム。
【請求項２３】
記憶媒体を含む製品であって、
前記記憶媒体が命令を記憶し、前記命令はマルチカラー・ディスプレイに結合されたコンピューティング・プラットフォームによって実行されると、
マルチカラー・ディスプレイの色空間にある色の輝度および／または色度をモジュレーションし、
基準色空間にある色の輝度および／または色度をモジュレーションし、一定時間にわたって２色に適用する輝度のモジュレーションが相互のミラー・イメージであり、
２色のモジュレーション中の選択された時点でそれらの色がほぼ同じに見えるようにモジュレーションを調整し、
少なくとも部分的にモジュレーション調整の測定値に基づいてマルチカラー・ディスプレイのカラー・バランスを修正する、製品。
【請求項２４】
基準色空間が、人間の視覚の色域をほぼ包含する色空間からなる請求項２３に記載の製品。
【請求項２５】
プラットフォームのオペレーション中に、拡大した色空間から２色を選択する請求項２３に記載の製品。
【請求項２６】
前記製品が、マルチカラー・ディスプレイに結合されたコンピューティング・プラットフォームによって実行される命令を記憶し、マルチカラー・ディスプレイはマルチカラー・ポリマー発光ディスプレイからなる請求項２３に記載の製品。
【請求項２７】
前記製品が、マルチカラー・ポリマー発光ディスプレイに結合されたコンピューティング・プラットフォームによって実行される命令を記憶し、マルチカラー・ポリマー発光ディスプレイは５色のポリマー発光ディスプレイからなる請求項２３に記載の製品。
【発明の詳細な説明】
【０００１】
（関連出願）
本特許出願は、１９９９年５月２５日付け出願のＲｏｎａｌｄ　Ｄ．Ｓｍｉｔｈによる米国特許出願第０９／３１８，４５２号「Ｐｅｒｆｏｒｍｉｎｇ　Ｃｏｌｏｒ　Ｃｏｎｖｅｒｓｉｏｎ　ｉｎ　Ｅｘｔｅｎｄｅｄ　Ｃｏｌｏｒ　Ｐｏｌｙｍｅｒ　Ｄｉｓｐｌａｙｓ」（整理番号０４２３９０．Ｐ７１４０）、および１９９９年５月２８日付け出願のＲｏｎａｌｄ　Ｄ．Ｓｍｉｔｈによる米国特許出願第０９／３０１，１８２号「Ｃｏｎｔｒｏｌｌｉｎｇ　Ｐｏｌｙｍｅｒ　Ｄｉｓｐｌａｙｓ」（整理番号０４２３９０．Ｐ７００５）の一部継続出願であり、両出願は本発明の譲受人に譲渡され、参照により本明細書に組み込む。
【０００２】
（背景）
本開示はマルチカラー・ディスプレイに関し、より詳細にはマルチカラー・ディスプレイのカラー・バランス調整に関する。
【０００３】
コンピュータやその他のプラットフォーム用のディスプレイは、通例、赤・緑・青（ＲＧＢ）からなる色空間など、ディスプレイによって生成される色空間を形成（ｓｐａｎ）するのに３色を用いるが、４色以上を用いるものもある。状況によっては、例えば上述の米国特許出願第０９／３１８，４５２号（整理番号０４２３９０．７１４０）および０９／３０１，１８２号（整理番号０４２３９０．７００５）に記載されるように、４色以上の使用は、例えば電力損失を低減するために、発光性ポリマー・ディスプレイなど一部のマルチカラー・ディスプレイでは望ましい場合がある。しかし、このアプローチは対処すべき何らかの複雑性を生じさせる可能性もある。例えば、発光性ポリマー・ディスプレイが例えば５色を用いて所望の色空間を形成する場合、不適切なカラー・バランス調整により、人間の目で感知することができ、したがって望ましくない色のアーチファクトおよび／またはその他の異常が生じる場合がある。通常は、工場で出荷前に精密測定機器を使用してディスプレイのカラー・バランスを行うが、用いられるディスプレイ・ハードウェアの出力ドリフトおよび／またはその他の特性により、精密バランス調整を行った後でも不適切なカラー・バランスになる場合がある。したがって、工場環境の外でマルチカラー・ディスプレイのカラー・バランス調整を行う技術が必要とされる。
【０００４】
本発明の主題を詳細に示し、本明細書の結びの部分で請求の範囲を明確に示す。ただし、本発明は、その目的、特徴および利点とともに、構成および動作方法の両方に関して、添付図面と併せて読む以下の詳細な説明を参照することにより最も正確に理解することができる。
【０００５】
（詳細な説明）
以下の詳細な説明で、本発明の完全な理解を提供するために多数の具体的な詳細事項を述べる。ただし、当業者は、それら特定の詳細事項を用いずとも本発明を実施できることを理解されよう。他の事例では、本発明を不明瞭にしないために、よく知られる方法、手順、構成要素、および回路については詳細に説明していない。
【０００６】
上述のように、様々な状況では、工場環境の外部で光および／または光に関連する特性などを測定する高精密機器を使用せずにマルチカラー・ディスプレイのカラー・バランス調整を行う技術を備えることが望ましい場合がある。具体的には、本発明の範囲は特定の状況に限定しないが、発光性ポリマー・ディスプレイの場合、そのようなディスプレイは、用いるポリマーに関連する特定のスペクトル特性によって制限があることがある。この文脈では、用語「発光性ポリマー・ディスプレイ」は、少なくとも部分的に１種または複数種のポリマー材料で製造されたセルまたはピクセルの位置を含み、少なくともそのセルまたはピクセルの位置から電磁放射が発せられるディスプレイを指す。言うまでもなく、通例このようなディスプレイはそのようなセルまたはピクセルを多数含む。
【０００７】
上記で触れたように、このようなポリマー・エミッタまたはエミッタ・セルは、エネルギー利用または消費に差がある可能性がある。したがって、ディスプレイの所望の色範囲を表すためには３色で十分であるにも関わらず、状況によっては、色空間を形成するのに４色以上のエミッタを用いるのが望ましいことがある。状況によっては、４色以上を使用することによりエネルギー利用を減らすことができる。例えば４色以上のカラー・エミッタを使用する場合には、使用エネルギーがより少ない様々なエミッタを組み合わせることにより実質的に同じ色を生成することができる。
【０００８】
言うまでもなく、この手法の不都合な点はより多くの複雑性を含む可能性があることである。例えば５色のエミッタのカラー・バランス調整は、３色のカラー・バランス調整よりも難しい。上記のように、このようなカラー・バランス調整は通例、測光器などの精密測定機器を用いて工場で行われる。しかし、別の問題は、バランスをとりまたは較正を行っても、エミッタがドリフトして、後でカラー・バランス調整または再較正を行うことが必要になることである。
【０００９】
これをより具体的に示すと、図１は１９７６ＣＩＥ色空間を色度図で表した図であり、これは人間の感度を表す２次元図である。外側の線は単色光源によって定義される線であり、その範囲は３８０〜７８０ナノメートルである。定義上、この線の外側には色が存在しない。同様に図の右と下に向かって「紫の線」がある。紫は赤と青の両方からなる色であり、可視波長の最も端に表される。照明源は、単色の線のように色空間の境界線ぎりぎりではなく、より濃い赤（より長い波長）とより濃い青紫（より短い波長）からなるので、その代わりに人間の目の感度に急激な低下が生じる。
【００１０】
図１では、５つの位置を選んで５つのポリマー・エミッタの色座標を表している。すなわち、この特定の例で選択した色は、薄い赤、薄い青、濃い赤、濃い青、および緑である。言うまでもなく、これらの位置は説明のための単なる一例として提供していることを理解されたい。実際の位置は、例えば、少なくとも部分的に特定のポリマーに依存する。この例を制限的なものと解釈する、あるいは本発明による可能な一実施形態で用いることが可能な手法の一例以外のものとして解釈することは意図していない。したがって、本発明は、発光性ポリマー、色、またはエネルギー効率の特定の選択には一切依存しない。そのような可能性のいずれかおよびすべては本発明の範囲内にある。
【００１１】
次いで図２を参照すると、色度と強さの３次元図の透視図で、５色を用いるマルチカラー・ディスプレイの不適切なカラー・バランス調整あるいはカラー・バランス調整の問題を図式的に表しているが、言うまでもなく本発明の範囲は５色のみの使用に限定しない。言うまでもなく、本発明による代替実施形態ではこれよりも少ない、あるいは多い数の色を使用することができる。この透視図では、色度の図を含む面に垂直に位置する縦軸が強さすなわち輝度を表している。
【００１２】
図２は、マルチカラー・ディスプレイに伴う可能性がある少なくとも２つの問題を示すものと解釈することができる。問題の１つは、非ゼロの強さレベルを表すディスプレイの色平面がＣＩＥ色度図と平行であるかどうかである。この平面は、例えば赤あるいは緑の方向に傾く可能性がある。平面が傾くと色平面の白色点に影響を与える可能性があり、したがって結果的に色ずれが知覚される可能性がある。ディスプレイの較正で、赤、緑、および／または青のゲインを修正して「正確な」白色点、すなわちディスプレイを見る者にとって色ずれと知覚されない白色点を得ることができる。これには、平面を実際上ＣＩＥ色度図と平行にする効果がある。これに関して、白色点とは、色温度と呼ばれる特定の温度にあるいわゆる「黒体」によって生成される色に対応する色度図上の位置を指す。例えば、太陽は、６６００度ケルビン（Ｋ）の黒体の色温度に相当する白色点あるいは白色光を供給する。しかし、ディスプレイは、場合によっては、例えば一部の例では９６００Ｋもの温度など６６００Ｋ以外の色温度を白色点として設定する場合がある。
【００１３】
図２に示す別の問題は、「ほぼ平面」である色空間を形成するために用いる選択した色を持たねばならないことである。よく知られるように、３次元空間では３つの点で平面が定義される。しかし、この例のように４つ以上の点を用いて色空間を形成する場合には、３点を超える追加的な点が、選択された３点によって形成される面にない可能性がある。図２にこれを示しており、３点が１つの面を形成し、拡大した色空間中の追加した２点が別の面を形成している。中心の三角形によって形成される面はバランスがとれているのに対し、拡大された色空間中の点によって形成される面はバランスがとれていない。この図には、これら２つの面の傾きの差である差分白色点も示している。
【００１４】
この図２の例におけるバランスの欠如は、２面の傾きの差によって増大する。ディスプレイ上で色を生成するために用いられる際に色空間の間で推移が生じると、突然の色の急変あるいは変化が知覚される。色の推移が滑らかな物体あるいは画像では、これは輪郭線の強調（ｃｏｎｔｏｕｒｉｎｇ）など空間的なアーチファクトとして現れ、これは例えば通常人間にとって不快に感じられる。この例のアーチファクトは輝度および色度の成分を含み、人間の目は輝度のシフトに特に敏感であることに留意されたい。
【００１５】
上述は、個別に対処することが可能な２つの別個の問題である。例えば、本発明の一実施態様では、傾きを調整せずに５つの点を同一平面、あるいはほぼ平面にすることができる。同様に別の実施形態では、５つの点を同一平面とするか、あるいはほぼ平面にし、同一平面にあるそれら点の傾きを調整することができる。本発明の範囲はそれらの調整を行う特定の手法あるいは順序に限定しないが、一部の実施態様では、傾きを調整するのに複雑な校正手順を必要とし、その結果少なくとも一部の状況では点の傾きの調整を行う前に平面にするための調整を行うことが望ましい場合がある。
【００１６】
したがって、マルチカラーの発光ディスプレイのカラー・バランスを調整する方法の可能な実施態様の１つは以下を含むことができる。モジュレーション（ｍｏｄｕｌａｔｉｏｎ）中のいずれかの時点で２つの色がディスプレイ上で実質的に同じ色に見えるように、選択した２色をモジュレーションすることができる。次いで、適用するモジュレーションを調整して色がほぼ同じに見える点を変えることができる。次いで、少なくとも部分的にモジュレーションの調整の測定値に基づいて、ディスプレイのカラー・バランスを修正することができる。
【００１７】
言うまでもなく、よく知られるように、色の調整はそのようなディスプレイ・システムのユーザはおろか訓練を受けた観察者によっても行うのが難しい。色を判断する能力を強化する方法の１つは、人工的な動きを引き起こすものである。少なくとも理論的には、ディスプレイに人工的な動きを引き起こすことにより、より高い感度を有する脳経路の使用を促し、結果の信頼性を高めることができる。人工的な動きを使用してこのようなことを生じさせることができるのは、人間の視覚系は絶対的な位置よりも動きに対してはるかに敏感であることが実験で示されているためである。例えば、観察者が、何が動いているかを判断できなかったのにも関わらず、動きの方向を正しく感知することができたという実験が行われている。動きを引き起こすことにより、観察者は結果に対してより高い感度を持つことができ、判断を行う際の見かけの能力を向上することができる。
【００１８】
例えば図３を参照すると、図のように規則的に間隔を空けた領域に分割されたカラー・バー３００をユーザに提示することができるが、言うまでもなく本発明の範囲はこの特定のグラフィック・インタフェースに限定しない。この領域はモジュレーションされる。具体的には、この場合には領域の輝度をモジュレーションするが、本発明の範囲はこの点で制限しない。代替実施形態では、例えば領域の輝度および／または色度をモジュレーションすることができる。この例でも、偶数の領域は、薄い赤などディスプレイの色空間から選択した１つまたは複数の色をモジュレーションの前に含むことができる。同様に、奇数の領域は、上述の緑・濃い赤・濃い青の色空間などの基準色空間から選択した１つまたは複数の色をモジュレーションの前に含み、同じく薄い赤をインプリメント（ｉｍｐｌｅｍｅｎｔ）することができる。ここでも、本発明の範囲は、カラー・バーの使用、あるいは個々の色空間にある偶数および奇数交互の色領域の使用に制限しない。モジュレーションすべき選択した色を表示するための他の多くの手法を用いることができる。ただし、この特定の例では、モジュレーション中のどこかの時点で色がほぼ同じに見えるようにこれら領域の輝度をモジュレーションすることができる。一例として、図３に図式的に示すように、奇数の領域と偶数の領域のモジュレーションが１８０度ずれた正弦波のモジュレーションを適用すると、例えば、いずれかの時点で色がほぼ同じに見える。
【００１９】
図３に示すように、カラー・バーと併せて、動く振子を設けることができる。ただしここでも本発明の範囲はこの点について制限しない。他の実施形態では、この他のグラフィックを用いるか、あるいはこのようなグラフィックを完全に省略してもよい。この実施形態では、振子は１秒に１往復の速度などで左右に揺れることができる。ただし、ここでも本発明の範囲は例えば特定の往復速度に限定しない。しかし、この特定の実施形態では、その速度が真中の位置すなわちヌル・ポイントで最高になるように、実際の振子の非線形の揺れに倣って振子をモデル化している。しかしこの実施形態では、ユーザがグラフィックの動きに基づいてその位置を挿入できるように、ビデオ・シーケンスにはこの位置を示さない。ただし、ここでも、これらは代替実施形態では省略することが可能なこの実施形態の詳細事項である。
【００２０】
上記のように、モジュレーション中のいずれかの時点で色が実質的に同じに見えるはずである。本発明の範囲はスライド・バーに限定されないが、ユーザはこの例ではスライド・バーを使用して、モジュレーションを調整して色がほぼ同じに見える点を変更することができる。具体的には、バーを動かすことによりディスプレイに影響を与え、２つの色空間面のカラー・バランスを変えることにより、モジュレーションの段階を変えることができる。例えば、ある手法では、ユーザは振子の揺れのほぼ真中の位置で色が実質的に同じに見えるように、慎重にモジュレーションを調整することができる。ただしここでも本発明の範囲はこの点について制限しない。
【００２１】
次いで、このモジュレーションの調整を測定して、２つの色平面、ここでは色空間ディスプレイの色平面と基準色空間の色平面の差分の測定値を得る。次いでこの測定値を使用してディスプレイに調整を行い、ディスプレイの色空間の色平面が基準色空間の色平面と一致する、またはほぼ同一平面にすることが望ましい。本発明の範囲はこの点で限定しないが、この例ではディスプレイの赤、緑、および青のゲインを調整することによってこの調整を行うことができる。例えば、それが色のゲインに影響を与えるのに用いるのに適した手法であるという前提で、このゲインをコントロールするレジスタをソフトウェアで調整することができる。言うまでもなく、このカラー・バランス調整を実施する複数の技術のいずれを用いてもよく、本発明の範囲は特定の手法に制限しない。
【００２２】
別の実施形態では、さらに用いる色を変え、上記の技術を用いるなどして別のあるいは第２の測定値を得、２つの測定値を組み合わせてディスプレイに適切なゲイン調整を行うことにより測定の精度を向上することができる。言うまでもなく、本発明の範囲は、１つのみの測定値あるいは２つのみの測定値など特定数の測定値を得ることに限定しない。そのような追加的な測定値は、事例によっては、ディスプレイの色のバランス調整を行うのに用いられる測定値の細分性または精度を改善することができるが、複雑性や時間の低減などの様々な理由により、一部の実施形態ではそのような手法を省略することが望ましい場合がある。
【００２３】
本発明のさらに別の実施形態では、マルチカラーの発光ディスプレイのカラー・バランスを調整する方法は次を含むことができる。ディスプレイの色空間内の色の輝度および／または色度をモジュレーションすることができる。基準色空間中の色の輝度および／または色度もモジュレーションすることができるが、どこかの時点で２つの色が実質的に同じに見えるように、一定時間にわたって２つの色に適用する輝度のモジュレーションは基本的に相互のミラー・イメージとすることができる。次いで、両方の色をモジュレーションしている間の選択された時点でそれらの色が再びほぼ同じに見えるような方式でモジュレーションを調整することができるが、この時点は、通例、適用するモジュレーションを調整する前にそれらの色がほぼ同じに見えた時点とは異なる時点である。次いで、少なくとも部分的にモジュレーション調整の測定値に基づいて、ディスプレイのカラー・バランスを修正することができる。この点について本発明の範囲は限定しないが、基準色空間は１９７６ＣＩＥ色空間とするか、あるいは１９７６ＣＩＥ色空間の色を入れ替えたバージョンにすることができる。言うまでもなく複数の色空間のいずれを用いてもよく、本発明は特定の色空間に制限しない。１９７６ＣＩＥ色空間は、事実上人間の視覚の全範囲を完全に包含しているが、代替実施形態ではそれよりも範囲が狭い色空間を使用することもできる。同様に、特定の実施形態では、適用するモジュレーションは、例えば正弦波など周期的なものでもよいが、本発明の範囲は周期的または正弦波のいずれかにすることに制限しない。また、色がほぼ同じに見える時点は、モジュレーションの中間点など利便な時点にすることが望ましく、これはいくつかの方式のうち任意のもので決定することができる。例えば上述の実施形態では揺れる振子を用いたが、言うまでもなくこれは可能な技術の一例に過ぎない。この場合も拡大した色空間から色を選択することが望ましいが、本発明の範囲はこれに関して限定しない。
【００２４】
特定の実施形態について説明したが、言うまでもなく本発明の範囲は特定の実施形態または実装に限定されないことを理解されたい。例えば、ある実施形態はハードウェアとし、別の実施形態はソフトウェアとすることができる。同様に、実施形態はファームウェア、あるいは例えばハードウェア、ソフトウェア、あるいはファームウェアの任意の組み合わせでもよい。例えば、システムはマルチカラー・ディスプレイとそのディスプレイに結合されたコンピューティング・プラットフォームを含むことができ、この場合、コンピューティング・プラットフォームは、ハードウェア、ソフトウェア、ファームウェアあるいはそれらの任意の組み合わせを使用して、例えば上述のようにディスプレイのカラー・バランスを調整することができる。同様に、この点について本発明の範囲は制限されないが、ある実施形態は記憶媒体などの製品を含むことができる。例えばＣＤ−ＲＯＭやディスクなどのその記憶媒体は、ホスト・コンピュータ、コンピューティング・システム、プラットフォーム、あるいはイメージング・システムなどのシステムによって実行されると、例えば上述の実施形態の１つなど本発明によるマルチカラー・ディスプレイのカラー・バランス調整の方法を実行する命令を記憶することができる。
【００２５】
ここでは本発明の特定の機能を実証し、説明したが、当業者には多くの修正形態、代替形態、変更形態、および同等形態が着想されよう。したがって、頭記の特許請求の範囲は、本発明の真の精神に該当するそのような修正および変更をすべて包含するものであることを理解されたい。
【図面の簡単な説明】
【図１】１９７６国際照明委員会（ＣＩＥ）色空間を色度図に表した２次元図である。
【図２】５色を用いるマルチカラー・ディスプレイの不適切なカラー・バランス調整の一例を図式的に表す、色度および強さの３次元図の透視図である。
【図３】本発明によるマルチカラー・ディスプレイのカラー・バランス調整方法の一実施形態を実施するのに使用できるグラフィカル・インタフェース（ＧＩ）の一実施形態を示す略図である。
【図１】
2004506943.tif 000003
【図２】
2004506943.tif 000004
【図３】
2004506943.tif 000005
【国際公開パンフレット】
2004506943.tif 000006
2004506943.tif 000007
2004506943.tif 000008
2004506943.tif 000009
2004506943.tif 000010
2004506943.tif 000011
2004506943.tif 000012
2004506943.tif 000013
2004506943.tif 000014
2004506943.tif 000015
2004506943.tif 000016
2004506943.tif 000017
2004506943.tif 000018
2004506943.tif 000019
2004506943.tif 000020
2004506943.tif 000021
2004506943.tif 000022
2004506943.tif 000023
2004506943.tif 000024
2004506943.tif 000025
2004506943.tif 000026
2004506943.tif 000027
2004506943.tif 000028
2004506943.tif 000029
2004506943.tif 000030
【国際調査報告】
2004506943.tif 000031
2004506943.tif 000032